(57)【要約】【課題】硬貨出金時の操作性を向上させ、硬貨出金箱における奥の収納部に収納された硬貨の取出し忘れを防止する。【解決手段】出金しない金種に割り当てられた収納部１６ａより奥の収納部１６ａに割り当てられた金種の硬貨を出金する場合、出金する金種の硬貨を出金しない金種の収納部１６ａに放出するようにして、硬貨出金箱１６全体を硬貨出金口１９から引出すことなく硬貨を取出すことができようにし、また手前の収納部１６ａと奥の収納部１６ａの途中の収納部１６ａが空くという状態がなくすようにする。【選択図】図１
2008077196.tif 000002
【特許請求の範囲】
【請求項１】
金種毎に区分して硬貨を収納できるように複数の収納部を直線状に形成すると共に各収納部に金種を割当てた引出し構造の硬貨出金箱を用い、操作者により入力された金種、枚数の硬貨を各々割り当てられた収納部に放出して出金する現金処理装置において、
硬貨出金時に出金しない金種があり、かつその金種に割り当てられた収納部より奥の収納部に割り当てられた金種の硬貨を出金する場合、出金する金種の硬貨を前記出金しない金種の収納部に放出することを特徴とする現金処理装置。
【請求項２】
請求項１記載の現金処理装置において、
前記出金しない金種が１つで、その金種に割り当てられた収納部より奥に出金する金種の収納部がある場合、一番奥の収納部に割り当てられた金種の硬貨を前記出金しない金種の収納部に放出することを特徴とする現金処理装置。
【請求項３】
請求項１記載の現金処理装置において、
前記出金しない金種が複数で、その金種に割り当てられた収納部より奥に出金する金種の収納部が複数ある場合、手前側に空きの収納部ができないように出金しない金種の収納部に出金する金種の硬貨を放出することを特徴とする現金処理装置。
【請求項４】
請求項３記載の現金処理装置において、
前記出金するそれぞれの金種と枚数から金額を算出して、金額が大きい方の硬貨から手前の出金しない金種の収納部に放出することを特徴とする現金処理装置。
【発明の詳細な説明】
【技術分野】
【０００１】
本発明は、小売店等に設置されるレジスタに補充される釣銭用の現金の出金処理等を行う現金処理装置に関するもので、特に硬貨の出金処理に関するものである。
【背景技術】
【０００２】
レジスタに補充される釣銭用の現金特に硬貨を出金する従来の装置として、例えば、特許文献１に示される装置があり、この装置では硬貨を釣銭用現金収納庫から繰出して出金する際、金種毎に硬貨を区分して収納できるように内部を仕切って複数の収納部を直線状に形成した引出し構造の硬貨出金箱（カセット）を用い、各収納部に所定金種の硬貨を放出して収納した後、硬貨出金箱を引出すことで出金を行うものとなっている。
【特許文献１】特開２００４−２７２４６１（段落「００５１」、「００７１」〜「００７４」、図１、図２）
【発明の開示】
【発明が解決しようとする課題】
【０００３】
しかしながら、上述した従来の技術では、以下の問題がある。
すなわち、この種の装置では硬貨出金箱の各収納部に金種を割当て、それに従って各収納部に硬貨を収納するようにしているが、これによると奥の収納部に割当てられた金種の硬貨を出金する場合、手前の収納部が空いていても、出金する硬貨は奥の収納部に放出されて収納されるため、硬貨出金箱全体を硬貨出金口から引出さなければならず、操作性が悪いという問題がある。
【０００４】
例えば、硬貨出金箱の手前側の収納部から１円、５０円、１００円、５円、１０円、５００円のような並びで硬貨が収納されるように、収納部に対して金種を割当てられている場合、例えば５０円または１００円硬貨は出金せず５００円硬貨を出金するような場合、５００円硬貨に割当てられた収納部より手前の５０円や１００円硬貨の収納部が空いていても、５００円硬貨は奥の収納部に放出されて収納されるため、硬貨出金箱全体を硬貨出金口から引出さなければならないものとなる。
【０００５】
また、手前の収納部と奥の収納部に硬貨が収納され、途中の収納部が空いている場合、その手前の収納部の硬貨は取出しても、途中に出金しない空きの収納部があることで奥の収納部に収納された硬貨はついうっかりとして取出し忘れることがあるという問題もある。
例えば、５０円、１００円、５００円の硬貨を出金する場合、５０円と１００円の硬貨は取出しても、途中に出金しない５円、１０円の空きの収納部があるとその奥にある収納部の５００円硬貨は取出すのを忘れることがあり、そのまま次の利用者が出金を行うとその利用者の硬貨と混ざり合ってわからなくなってしまうことになる。
【０００６】
本発明は、このような問題を解決することを課題とする。
【課題を解決するための手段】
【０００７】
そのため、本発明は、金種毎に区分して硬貨を収納できるように複数の収納部を直線状に形成すると共に各収納部に金種を割当てた引出し構造の硬貨出金箱を用い、操作部から入力された金種、枚数の硬貨を各々割り当てられた収納部に放出して出金する現金処理装置において、硬貨出金時に出金しない金種があり、かつその金種に割り当てられた収納部より奥の収納部に割り当てられた金種の硬貨を出金する場合、出金する金種の硬貨を前記出金しない金種の収納部に放出することを特徴とする。
【発明の効果】
【０００８】
このようにした本発明は、出金しない金種に割り当てられた収納部より奥の収納部に割り当てられた金種の硬貨を出金する場合、出金する金種の硬貨を出金しない金種の収納部に放出するようにしているため、硬貨出金箱全体を硬貨出金口から引出すことなく硬貨を取出すことができようになって操作性が向上し、また手前の収納部と奥の収納部に硬貨が収納され、途中の収納部が空くという状態がなくなるので、奥の収納部に収納された硬貨の取出し忘れを防止することができるという効果が得られる。
【発明を実施するための最良の形態】
【０００９】
以下、図面を参照して本発明による現金処理装置の実施例を説明する。
【実施例】
【００１０】
図１は実施例の構成を示すブロック図である。
本実施例の現金処理装置は、レジスタを使用する小売店等に設置されるもので、図において１は硬貨（現金）の入出金処理を行う硬貨処理機、２は紙幣（現金）の入出金処理を行う紙幣処理機であり、この両処理機については後で詳しく説明する。
３はＬＣＤ等による表示部で、各種の処理操作の案内、現金処理のための入力画面や入力された情報、及び金種別の入出金金額や入出金の合計金額等を表示する。
【００１１】
４はレジスタの現金を入出金するレジ担当者や売上の締めを行う店長（装置管理者）等が操作するキーボードあるいは表示部３上に配置されたタッチパネル等の操作部で、入金処理や出金処理、締上げ処理、回収処理等を行うことを入力指示するためのキーや金額等を入力するためのテンキー等を備えている。
５はカードリーダ（カード読取部）で、当該現金処理装置の利用者であるレジ担当者や店長等が使用するＩＤカードの情報を読取る機能を有している。
【００１２】
レジ担当者用のＩＤカードには、レジ番号などのレジスタを特定する情報も記録されている。このレジ担当者用のＩＤカードは、レジスタ毎またはレジ担当者毎に用意され、レジ担当者毎に配布する場合、レジ担当者が複数のレジスタを操作するのであれば、使用するレジスタ毎にＩＤカードが与えられる。
６は伝票記録部（プリンタ）で、硬貨処理機１や紙幣処理機２で行われた入金処理や出金処理の金額、金種別枚数等を伝票に記録（印字）して出力するものである。
【００１３】
７は記憶部で、この記憶部７には後述する主制御部が実行する制御プログラムが格納されている他、硬貨及び紙幣の入出金処理が行われる毎にその処理結果が入金・出金処理履歴として格納（登録）されるものとなっており、更に本実施例では後述する硬貨の金種毎の収納部の収納可能枚数が格納されている。
８は記憶部７に格納された制御プログラムに基づいて現金処理装置全体の制御を行う主制御部で、硬貨処理機１及び紙幣処理機２で入出金処理が行われる毎にこの主制御部８により記憶部７の入金・出金処理履歴が更新されるものとなっており、更に主制御部８は必要に応じて各種の演算を行う演算部としても機能する。
【００１４】
次に硬貨処理機１及び紙幣処理機２について説明する。
硬貨処理機１は、レジスタから回収した硬貨を一括して受け入れる硬貨入金口１１と、この硬貨入金口１１に受け入れた硬貨を１枚ずつ分離する図示しない分離部と、硬貨の金種等を鑑別すると共に鑑別した硬貨を金種毎に計数する硬貨鑑別部１２と、この硬貨鑑別部１２で鑑別計数された硬貨を一時保留する硬貨一時保留部１３と、レジスタ用の釣銭として使用する硬貨を金種別に収納する釣銭用硬貨収納庫１４と、入金硬貨のうちの売上金を金種別に収納する硬貨回収庫１５と、釣銭用の硬貨を出金するための硬貨出金箱（硬貨出金カセット）１６と、硬貨リジェクト口１７と、図示しない記憶部に格納された制御プログラムに基づいて硬貨処理機１全体の動作制御を行う制御部１８を有している。
【００１５】
ここで硬貨一時保留部１３、釣銭用硬貨収納庫１４、硬貨回収庫１５、及び硬貨出金箱１６は金種毎に分けて硬貨を集積、収納できるように内部が区切られている。
また、硬貨入金口１１と硬貨鑑別部１２との間には分離部により分離された硬貨を搬送する搬送ベルト等による搬送路が設けられ、釣銭用硬貨収納庫１４と硬貨回収庫１５及び硬貨出金箱１６との間には、釣銭用硬貨収納庫１４から繰出される硬貨を硬貨回収庫１５と硬貨出金箱１６のいずれかに導く振分け手段と、通過する硬貨を金種毎に計数する計数手段が設けられている。
【００１６】
また、前記各釣銭用硬貨収納庫１４に対しては、収納する硬貨の金種毎に保管基準額が設定されており、その保管基準額を保つために入金処理された硬貨を収納するようになっている。
この釣銭用硬貨収納庫１４にも硬貨を搬送路に繰出す繰出し手段が設けられている。
硬貨回収庫１５は複数用意され、必要に応じて交換されるものとなっている。
【００１７】
一方、紙幣処理機２は、入金処理時にレジスタから回収した紙幣を一括して受け入れると共に出金処理時に釣銭としての紙幣を排出する紙幣入出金口２１と、この紙幣入出金口２１に受け入れた紙幣を１枚ずつ分離する図示しない分離部と、紙幣の金種等を鑑別すると共に鑑別した紙幣を金種毎に計数する紙幣鑑別部２２と、この紙幣鑑別部２２で鑑別計数された紙幣を集積して一時保留する紙幣一時保留部２３と、レジスタ用の釣銭準備金として使用する金種（例えば、五千円、千円）の紙幣を金種別に収納する複数の釣銭用紙幣収納庫２４と、入金紙幣のうちの売上金を金種別に収納する複数の紙幣回収庫２５と、紙幣リジェクト庫２６と、これらの間で紙幣を搬送ベルト等で挟持して搬送する搬送路と、図示しない記憶部に格納された制御プログラムに基づいて紙幣処理機２全体の動作制御を行う制御部２７を備えている。
【００１８】
尚、紙幣一時保留部２３には紙幣を繰出す繰出し手段が設けられている。
前記各釣銭用紙幣収納庫２４に対しては、収納する紙幣の金種毎に保管基準額が設定されており、その保管基準額を保つために入金処理された紙幣を収納するようになっている。
この釣銭用紙幣収納庫２４にも紙幣の集積手段が紙幣を搬送路に繰出す繰出し手段と共に設けられている。
【００１９】
紙幣回収庫２５は複数用意され、必要に応じて交換されるものとなっている。
また、硬貨処理機１の制御部１８及び紙幣処理機２の制御部２７は主制御部８の指示により硬貨処理機１及び紙幣処理機２を制御するものとなっている。
図２は図１の現金処理装置の外観を示す斜視図、図３は硬貨出金箱１６の斜視図である。
【００２０】
図２に示したように装置上端面には、伝票記録部６で処理結果等が記録された伝票を排出する伝票排出口６ａが設けられており、また装置上部の傾斜面には表示部３、操作部４、カード挿入排出口５ａ、硬貨入金口１１、及び紙幣入出金口２１が設けられ、更に装置正面には硬貨リジェクト口１７と硬貨出金口１９が設けられている。
この硬貨出金口１９には硬貨出金箱１６が装着されており、硬貨出金口１９に設けられた扉を開いて硬貨出金箱１６を引出せるようになっている。
【００２１】
図３は硬貨出金箱１６の斜視図で、この図に示したように硬貨出金箱１６は、金種毎に硬貨を区分して収納できるように仕切られ、これにより１円から５００円までの６金種の硬貨を金種別に収納する６個の小箱状の収納部１６ａが直線状に形成されていて、前端部に硬貨出金箱１６を硬貨出金口１９から装置内に挿入したり装置から引出したりするときの操作用の把手１６ｂが設けられている。
【００２２】
尚、本実施例では６個の収納部１６ａの収納金種は手前側からつまり把手１６ｂ側から、例えば、１円、５０円、１００円、５円、１０円、５００円の順に割当てられているものとするがこれに限られるものではない。
上述した構成の作用について説明する。
尚、以下に説明する各部の動作において、主制御部８による記憶部７等からの情報の読出しやそれに基づく制御については、必要な場合を除いて省略する。
【００２３】
図３はレジ担当者がレジスタに釣銭として補充する現金を出金させる場合の出金処理手順を示すフローチャートで、図中のＳはステップを示し、以下このステップに従って説明する。
まず、レジ担当者が自分のＩＤカードをカード挿入排出口５ａに挿入すると、カードリーダ５がＩＤカードから利用者の区分、レジＮｏ．を読取る（Ｓ１）。
【００２４】
また、レジ担当者はカード挿入後、操作部４を操作して自分の個人ＩＤ（利用者ＩＤ）、パスワードを入力する（Ｓ２）。
主制御部８はレジ担当者が入力した個人ＩＤ、パスワードを予め記憶部７等に登録されている個人ＩＤ、パスワードと照合し、正当性が確認された場合、ＩＤカードから読取った利用者区分に基づき、レジ担当者が操作可能な「出金」、「入金」等を選択するメニュー画面を表示部３に表示し（Ｓ３）、レジ担当者に選択させる。
【００２５】
ここでレジ担当者が操作部４を操作して「出金」を選択すると、主制御部８は「出金」の選択を受付け（Ｓ４）、表示部３に出金金額入力画面を表示する。
この画面を見てレジ担当者が操作部４を操作して、硬貨及び紙幣の金種毎の枚数（金額でも可）を入力すると、主制御部８はその入力を受付けて（Ｓ５）、その入力枚数（金額）と硬貨処理機１の釣銭用硬貨収納庫１４及び紙幣処理機２の釣銭用紙幣収納庫２４内の現金の収納枚数（金額）を比較し、出金の可否を判断する（Ｓ６）。
【００２６】
釣銭用硬貨収納庫１４及び釣銭用紙幣収納庫２４内の現金の不足により出金不可と判断した場合、その旨のメッセージ画面を表示部３に表示して終了する。
出金可能な場合、紙幣については紙幣処理機２の釣銭用紙幣収納庫２４から該当金種の紙幣が繰出され、紙幣鑑別部２２で鑑別、計数された後、紙幣入出金口２１に集積されて出金される。
【００２７】
また硬貨については、主制御部８が入力された金種に基づいて、全金種を出金するか否かを判断し（Ｓ７）、全金種を出金する場合はＳ１０に進むが、出金しない金種がある場合は、その金種に割り当てられた収納部１６ａの奥に出金する金種の収納部１６ａがあるかどうかつまり今回出金する金種の収納部１６ａの手前側に出金しない金種の使用されない空きの収納部１６ａがあるかどうかを判断する（Ｓ８）。
【００２８】
今回出金する金種の収納部１６ａの手前側に出金しない金種の使用されない空きの収納部１６ａがない場合はＳ１０に進むが、空きの収納部１６ａがある場合、主制御部８は入力（指定）された金種及び枚数により以下のように空きの収納部１６ａに放出する硬貨の金種を変更する（Ｓ９）。
例えば、６個の収納部１６ａの収納金種が手前側からつまり把手１６ｂ側から、１円、５０円、１００円、５円、１０円、５００円の順に割当てられているものとして、出金する金種として入力された金種が５金種の場合、出金しない金種が５００円硬貨以外であれば、出金しない金種に割当てられた収納部１６ａに５００円硬貨を放出するように変更する。
【００２９】
つまり、出金しない金種が１つで、その金種に割り当てられた収納部１６ａより奥に出金する金種の収納部１６ａがある場合、一番奥の収納部１６ａに割り当てられた金種の硬貨を前記出金しない金種の収納部に放出する
また、出金する金種として入力された金種が４金種の場合、出金しない金種が複数で、その金種に割り当てられた収納部１６ａより奥に出金する金種の収納部が複数ある場合、
手前側に空きの収納部１６ａができないように把手１６ｂ側から４つの収納部１６ａに硬貨を放出するように変更する。
【００３０】
但し、この場合、４つの収納部１６ａのうち元々割り当てられている金種は変更しないものとする。例えば、１円、１００円、５円、１０円の硬貨を出金する場合、１円と１００円と５円は予め割り当てられた収納部１６ａに放出するものとし、５０円の収納部１６ａに１０円を放出するようにする。
更に、２金種の収納部１６ａを変更する場合は、変更対象の金種について、その金種と入力枚数から出金金額を算出し、高額になる金種の硬貨を手前側の収納部１６ａに放出するように変更する。
【００３１】
出金する金種として入力された金種が３金種の場合も４金種の場合と同様に変更するものとし、２金種の場合も同様とする。
主制御部８の指示により硬貨処理機１の釣銭用硬貨収納庫１４から出金する当金種の硬貨が繰出され、図示しない計数手段により金種毎に計数されて、硬貨出金箱１６の収納部１６ａに放出されて収納される（Ｓ１０）。このとき収納部１６ａを変更する金種があれば、前記の変更に従って空きの収納部１６ａに放出されて収納される。
【００３２】
そして、収納部１６ａへの硬貨の収納が終了すると、硬貨出金箱１６を取出すよう促す旨のメッセージ画面を表示部３に表示し、これによりレジ担当者が硬貨出金口１９の扉を開いて硬貨出金箱１６を取出すことで、出金が終了する（Ｓ１１）。
出金が終了すると主制御部８は今回の出金処理結果として通番、レジＮｏ．、利用者ＩＤ、処理日時、区分、出金金額、金種別枚数等を記憶部７の入金・出金処理履歴に書込んで更新し（Ｓ１２）、更に伝票記録部６で処理結果を伝票に記録してレジ担当者に発行する（Ｓ１３）。
【００３３】
尚、入金・出金処理履歴等の更新は伝票発行後に行うようにしてもよい。
以上説明した実施例によれば、出金しない金種に割り当てられた収納部１６ａより奥の収納部１６ａに割り当てられた金種の硬貨を出金する場合、出金する金種の硬貨を出金しない金種の収納部に放出するようにしているため、硬貨出金箱１６全体を硬貨出金口１９から引出すことなく硬貨を取出すことができようになって操作性が向上し、また手前の収納部１６ａと奥の収納部１６ａに硬貨が収納され、途中の収納部１６ａが空くという状態がなくなるので、奥の収納部１６ａに収納された硬貨の取出し忘れを防止できるという効果が得られる。
【図面の簡単な説明】
【００３４】
【図１】実施例の構成を示すブロック図
【図２】実施例の外観を示す斜視図
【図３】硬貨出金箱の斜視図
【図４】出金処理手順を示すフローチャート
【符号の説明】
【００３５】
１    硬貨処理機
２    紙幣処理機
３    表示部
４    操作部
５    カードリーダ
６    伝票記録部
７    記憶部
８    主制御部
１１  硬貨入金口
１２  硬貨鑑別部
１３  硬貨一時保留部
１４  釣銭用硬貨収納庫
１５  硬貨回収庫
１６  硬貨出金箱
１７  硬貨リジェクト口
１８  制御部
２１  紙幣入出金口
２２  紙幣鑑別部
２３  紙幣一時保留部
２４  釣銭用紙幣収納庫
２５  紙幣回収庫
２６  紙幣リジェクト庫
２７  制御部
【図１】
2008077196.tif 000003
【図２】
2008077196.tif 000004
【図３】
2008077196.tif 000005
【図４】
2008077196.tif 000006